(57)【要約】  本発明は、薄片状の物質（１）を投与するためのディスペンサーであって、ハウジング（２，２′）を有しており、該ハウジング（２，２′）が、薄片状の物質（１）のスタック（４）を貯蔵するための中空室（３，３′）を有しており、前記ハウジング（２，２′）は、薄片状の物質（１）のための取り出し開口（５，５′）を形成していて、該取り出し開口（５，５′）は、蓋（６，６′）によって開放可能、かつ再び閉鎖可能であり、前記蓋（６，６′）はハウジング（２，２′）に接続され、かつ取り出しアーム（７，７′）に接続されており、該取り出しアーム（７，７′）が蓋（６，６′）と共に、薄片状の物質（１）を搬送するために可動である形式のものに関する。本発明の課題は、個別の薄片状の物質をハウジング内部から、蓋を運動させるだけによって、汚染されることなく、確実に送り出すことができるディスペンサーを提供することである。この課題は、本発明によれば、前記取り出しアーム（７，７′）が弾性的にプリロードをかけられていて、前記取り出し開口（５，５′）の閉じた状態において前記取り出しアーム（７，７′）が薄片状の物質（１）のスタック（４）から間隔を保つように、前記取り出しアーム（７，７′）がハウジング（２，２′）内に支承されていることによって、解決された。
2012521334.tif 000002
【特許請求の範囲】
【請求項１】
薄片状の物質（１）を投与するためのディスペンサーであって、ハウジング（２，２′）を有しており、該ハウジング（２，２′）が、薄片状の物質（１）のスタック（４）を貯蔵するための中空室（３，３′）を有しており、前記ハウジング（２，２′）は、薄片状の物質（１）のための取り出し開口（５，５′）を形成していて、該取り出し開口（５，５′）は、蓋（６，６′）によって開放可能、かつ再び閉鎖可能であり、前記蓋（６，６′）はハウジング（２，２′）に接続され、かつ取り出しアーム（７，７′）に接続されており、該取り出しアーム（７，７′）が蓋（６，６′）と共に、薄片状の物質（１）を搬送するために可動である形式のものにおいて、
前記取り出しアーム（７，７′）が弾性的にプリロードをかけられていて、前記取り出し開口（５，５′）の閉じた状態において前記取り出しアーム（７，７′）が薄片状の物質（１）のスタック（４）から間隔を保つように、前記取り出しアーム（７，７′）がハウジング（２，２′）内に支承されていることを特徴とする、ディスペンサー。
【請求項２】
前記取り出しアーム（７，７′）が、前記取り出し開口（５，５′）の閉じた状態において、薄片状の物質（１）のスタック（４，４′）から間隔を保つために、スペーサホルダ（８，８′）上に載っている、請求項１記載のディスペンサー。
【請求項３】
前記取り出しアーム（７，７′）が、前記取り出し開口（５，５′）の開放時に、薄片状の物質（１）をスタック（４）から連行して取り出し開口（５，５′）へ搬送するための搬送ストロークを実施する、請求項１又は２記載のディスペンサー。
【請求項４】
前記取り出しアーム（７，７′）が、前記搬送ストローク中に、少なくとも部分的にガイド軌道（１０，１０′）の下を通る、請求項３記載のディスペンサー。
【請求項５】
前記取り出しアーム（７，７′）は、蓋（６，６′）の所定の開放位置において、係止部（１１，１１′）の下を通って、前記ガイド軌道（１０，１０′）の始端部（１２，１２′）に当接する、請求項１から４までのいずれか１項記載のディスペンサー。
【請求項６】
前記取り出し開口（５，５′）の閉鎖時に、前記取り出しアーム（７，７′）は、薄片状の物質（１）のスタック（４）と接触することなく該スタック（４）上を通過するように、ハウジング（２，２′）内のガイド軌道（１０，１０′）に沿って滑動せしめられる、請求項１から５までのいずれか１項記載のディスペンサー。
【請求項７】
前記ガイド軌道（１０，１０′）は、ハウジング（２，２′）内に係止された構成部材（１４，１４′）に形成された斜面として構成されている、請求項６記載のディスペンサー。
【請求項８】
前記取り出し開口（５，５′）の閉鎖時に、前記取り出しアーム（７，７′）は、その弾性的なプリロードに基づいて、前記ガイド軌道（１０，１０′）の始端部（１５，１５′）からスペーサホルダ（８，８′）にジャンプし、前記蓋（６，６′）が前記ハウジング（２，２′）を閉鎖する、請求項６又は７記載のディスペンサー。
【請求項９】
前記取り出しアーム（７，７′）は、弾性的に変形可能な部材として構成されており、該弾性的に変形可能な部材の両側からサイドアーム（２０，２０′，２１，２１）が突き出している、請求項１から８までのいずれか１項記載のディスペンサー。
【請求項１０】
前記蓋（６）と前記取り出しアーム（７，７′）とが一体的に構成されていて、前記蓋（６）が緊締カム（２３）を介して前記ハウジング（２）に接続されている、請求項１から９までのいずれか１項記載のディスペンサー。
【請求項１１】
前記緊締カム（２３）が、剛性部分（２５）と一体的に構成されており、該剛性部分（２５）に前記蓋（６）がフィルムヒンジ（２６）を介して旋回可能にヒンジ結合されている、請求項１０記載のディスペンサー。
【請求項１２】
前記蓋（６′）が、前記取り出し開口（５′）の開閉時に平行移動運を行う、請求項１から９までのいずれか１項記載のディスペンサー。
【請求項１３】
前記蓋（６，６′）が、該蓋（６，６′）の、前記取り出し開口（５，５′）に向いた側に環状のシール（２７，２７′）を有している、請求項１から１２までのいずれか１項記載のディスペンサー。
【請求項１４】
前記シール（２７，２７′）が長円形シールとして構成されている、請求項１３記載のディスペンサー。
【請求項１５】
３つの構成部分より構成されており、これらの３つの構成部分がそれぞれ射出成形されている、請求項１から１４までのいずれか１項記載のディスペンサー。
【発明の詳細な説明】
【技術分野】
【０００１】
本発明は、薄片状の物質を投与するためのディスペンサーであって、ハウジングを有しており、該ハウジングが、薄片状の物質のスタックを貯蔵するための中空室を有しており、前記ハウジングは、薄片状の物質のための取り出し開口を形成していて、該取り出し開口は、蓋によって開放可能、かつ再び閉鎖可能であり、前記蓋はハウジングに接続され、かつ取り出しアームに接続されており、該取り出しアームが蓋と共に、薄片状の物質を搬送するために可動である形式のものに関する。
【０００２】
従来技術によれば、薄片状の物質を収容し、かつ投与するための前記のような形式のディスペンサーが公知である。薄片状の物質は、多くの場合、経口投与又はその他の形式で投与するための、飲食可能な水溶性の薄片である。薄片状の物質は、医薬品、食品、お菓子、化粧品又は衛生用品として構成されたものが公知である。薄片状の物質は、しばしば規則的な短冊状に前もって切断され、ハウジング内に積み重ねられたスタックとして貯蔵される。
【０００３】
薄片状の物質は、一般的に取り出し開口を通じてハウジングから取り出される。しかしながらこの場合、取り出し開口は、しばしば比較的小さので、薄片状の物質を取り出すのは困難である。
【０００４】
以上のような背景から、米国特許出願第２００５／００９２７６３号明細書によれば、蓋をずらすことによって開放されるようになっているディスペンサーが開示されている。薄片状の物質は、隆起部によって取り出し開口に向かって押しやられることによって、取り出すことができるようになっている。
【０００５】
薄片状の物質は、湿気に対して比較的敏感なフィルム状の水溶性の薄片である。この場合、特に薄片状の物質は短時間で湿気を吸収し、この際に分解しかつ互いに接着する、という問題がある。
【０００６】
湿気に対してシールされたディスペンサーは、国際公開第２００５／０５１８２２号明細書に記載されている。このディスペンサーは、ハウジングの閉じた状態で薄片状の物質のスタック上に載る取り出しアームを有している。しかしながら、この場合、敏感な薄片状の物質は互いに押し付けられ、互いに接着することになる。
【０００７】
さらに、取り出し開口内に人間の身体が侵入すると、ハウジング内に残る薄片状の物質を汚染する、という問題がある。特に、前記ディスペンサーに医薬品が収容されている場合、ディスペンサーの別の使用者に病原菌が移されることがある。
【０００８】
このような問題は、米国特許出願第２００５／０２７４７３３号明細書に開示された、薄片状の物質をスライドさせることによってハウジングから取り出すディスペンサーにおいてみられる。このために、ディスペンサーは取り出しアームを有しており、この取り出しアームは、ハウジングの閉じた状態において薄片状の物質のスタック上に載っている。これによって、薄片状の物質は互いに押し付けられ、互いに接着することになる。
【０００９】
ドイツ連邦共和国実用新案登録第２０１１９１８８号明細書並びに国際公開第２００４／０２４５９３号明細書により公知のディスペンサーによれば、薄片状の物質が人間の手の力を加えることによって送り出すようになっている。取り出しアームは手の力によって、薄片状の物質を送り出すために薄片状の物質に押し付けられる。この場合、２枚又はそれ以上の薄片状の物質が送り出されることがないように、手によって加えられる力を非常に正確に調節しなければならない。このような問題は特に、薄片状の物質が互いに接着する場合に、発生する。
【００１０】
従って、ハウジングの開放時に、薄片状の物質を間違いなく確実に個別に投与することができるようなディスペンサーが要求されている。この場合、使用者の手指がハウジング内に又は薄片状の物質に達することなしに、手に与えるか又は直接経口投与できなければならない。このようなディスペンサーに関する要求は、医療において特に医薬品を投与する際に存在する。
【００１１】
そこで本発明の課題は、冒頭に述べた形式のディスペンサーを改良して、蓋を動かすだけでハウジングの中から、薄片状の物質を個別に汚染されることなく確実に提供することができるようなものを提供することである。
【００１２】
この課題は本発明によれば、請求項１に記載した特徴を有するディスペンサーによって解決された。
【００１３】
本発明の請求項１によれば、冒頭に述べた形式のディスペンサーは、取り出しアームが弾性的にプリロードをかけられていて、取り出し開口の閉じた状態において前記取り出しアームがスタックから間隔を保つように、前記取り出しアームがハウジング内に支承されていることを特徴としている。
【００１４】
本発明によれば、まず第１に、手指をハウジングの内部に入れる必要なしに、薄片状の物質をハウジングの内部から取り出し開口を通して取り出すことができるように、取り出しアームを使用できる。また、弾性的なプリロード下にある取り出しアームは、薄片若しくは個別の薄片状の物質をスタックから確実に個別に取り出して、取り出し開口に送ることができるように、所定の押圧力を加えることができる。また、取り出しアーム及びひいては薄片状の物質を動かすために、手指は蓋に触れるだけでよい。従ってハウジングの内部が汚染されることはない。そして、スタックから間隔を保って位置する取り出しアームは、薄片状の物質を押し付けることはなく、従って薄片状の物質が接着することは避けられる。以上のように、汚染されることがなく、しかも薄片状の物質を個別にディスペンサーの取り出し開口へ確実に送ることができるディスペンサーが提供された。
【００１５】
取り出しアームは、取り出し開口の閉じた状態において、スタックから間隔を保つためにスペーサホルダ上に載っている。これによって、取り出しアームが、ハウジングの閉じた状態で薄片状の物質に押圧力を加えることはない。薄片状の物質は互いに押圧されることはなく、従って互いに接着することはない。
【００１６】
取り出しアームは、取り出し開口の開放時に、薄片状の物質をスタックから連行して取り出し開口へ搬送する搬送ストロークを実施する。このような構成によって、薄片状の物質は、蓋を操作するだけでハウジングの内部から取り出し開口へもたらされ、しかも薄片状の物質が部分的に取り出し開口から突き出るようになっている。従って、ディスペンサーを操作する作業員は、ハウジングの中空室内に残存する薄片状の物質を汚染することなく、取り出し開口から突き出た薄片状の物質を指によって掴むことができる。
【００１７】
このために、取り出しアームは、搬送ストローク中に少なくとも部分的にガイド軌道の下を通るようになっている。取り出しアームが、斜面状のガイド軌道の下を通ることによって、取り出しアームは、丸味を付けられた隆起部状の接触面で以て、スタックの最上位にある薄片状の物質に接触し、この薄片状の物質を取り出し開口へ連行することができる。
【００１８】
取り出しアームは、蓋の所定の開放位置において、ガイド軌道の始端部に当接させるために、係止部の下を通過するようになっている。このような構成によって、取り出しアームは、弾性的に変形可能な係止部の下をくぐり抜け、係止部は弾性的に変形した後に、取り出しアームの端部から停止位置（非作用位置）に向かって下方にジャンプする。これによって、取り出しアームは、既に進んだ搬送ストロークを戻ることはない。係止部は、取り出しアームに対して既に進んだ搬送ストロークをしゃ断する。このような構成において、弾性的に変形可能な係止部は、逆止弁と同じように機能する。係止部の下を走行した後、取り出しアームは、斜面状のガイド軌道の始端部に当接する。
【００１９】
取り出しアームは、取り出し開口の閉鎖時に、薄片状の物質のスタックを無接触で通過するように、ハウジング内においてガイド軌道に沿って滑動するようになっている。蓋の閉鎖時には、取り出しアームは、斜面状のガイド軌道上をガイドされ、蓋の開口時に取り出しアームが通る経路の上側に存在する経路に沿って移動する。斜面状のガイド軌道上をガイドされることによって、取り出しアームは、薄片状の物質のスタックから間隔を保っていて、この薄片状の物質のスタックに接触することはない。これによって、取り出しアームが、ハウジング内に残存する薄片状の物質を押しずらし、圧縮し、折り畳み又はしわくちゃにすることは避けられる。
【００２０】
前記ガイド軌道は、ハウジング内に係止された構成部材に形成された斜面として構成されている。この構成部材は、ハウジングとは別個に製作され、ハウジング内に堅固に係止される。これによって、ハウジングとは無関係に、種々異なる傾斜勾配及び長さを有するガイド軌道を形成することができる。特に、前記構成部材は、ハウジングの材料とは異なる材料より製作することができる。具体的には、前記構成部材は、乾燥剤を含んでいるか、又は乾燥剤化合物より製作することが考えられる。乾燥剤は、ハウジング内に侵入した液体を吸収する。この構成部材はトレイとも称呼される。
【００２１】
取り出しアームは、取り出し開口を閉鎖する際に、その弾性的なプリロードに基づいてガイド軌道の始端部からスペーサホルダへジャンプし、この際にハウジングのカバーを閉鎖する。それによって蓋は押圧され、ハウジングに気密に引き寄せられる。弾性的に変形可能な取り出しアームは、蓋をハウジングに気密に引き寄せるために利用される戻し力を発揮する。
【００２２】
従って、取り出しアームは弾性的に変形可能な部材として構成されており、該変形可能な部材の両側からサイドアームが突き出している。取り出しアームは、弾性的に変形可能な部材として構成されていることによって、開放及び閉鎖過程時にフレキシブルかつリバーシブルに曲げることができる。このために、蓋の開閉時に取り出しアームを湾曲させる湾曲補助手段を、ハウジング内に設けることができる。両サイドから突き出しサイドアームによって、取り出しアームを湾曲させながらガイド軌道に沿ってガイドすることができる。この場合、サイドアームはガイド軌道に沿ってガイドされ、取り出しアームの基幹部が、移動せしめられる蓋の引っ張り力又は押し力をサイドアームに伝達する。
【００２３】
蓋及び取り出しアームは、一体的に構成されていてよく、蓋は緊締カムを介してハウジングに接続されている。緊締カムが設けられていることによって、蓋を別個に構成し、かつハウジングに堅固に結合することができる。取り出しアームに一体的に構成された蓋は、ハウジングよりも柔軟な材料より成っている。これによって、蓋はハウジングに押し付ける際に、非常に良好なシール作用を発揮する。蓋を、特に２成分射出成形によって、２つの成分より製造することも考えられる。
【００２４】
緊締カムは、剛性部分と一体的に構成することができ、この剛性部分に、蓋がフィルムヒンジを介して旋回可能にヒンジ結合されている。このような構成によって、取り出しアームは、蓋の開閉時（つまりフィルムヒンジを中心にした旋回時）に、湾曲補助手段によってガイドされて蓋の湾曲軌道に沿って移動する。
【００２５】
また、蓋が、取り出し開口の開閉時に平行移動を行うようにすることも考えられる。この場合、蓋は、引き出しのように、ハウジングから引き出されか又はハウジング内に押し込まれる。このように構成されたディスペンサーは、非常にフラットに、かつコンパクトに構成される、という特徴を有している。
【００２６】
蓋は、取り出し開口に向いた側に環状のシールを有している。このシールによって、取り出し開口は、蓋の閉じた状態において湿気に対して又は空気に対して気密に閉鎖可能である。このような構成のディスペンサーは、湿気に弱い医薬品、化粧品、経口投与可能な香料又は衛生用品を収容することができる。ディスペンサーは、口の中で湿気によって短時間で溶解するが、ディスペンサー内では長期間貯蔵しておくことができる作用物質を収容することができる。このために、ディスペンサー内に乾燥剤を入れておくことができる。
【００２７】
シールは、長円形シールとして構成することができる。長円形シールは、凸状の隆起部を有しており、該隆起部は、凹状に構成された溝内に係止されるか又はスナップ式に係合する。長円形シールによって、蓋は力を加えるだけでハウジングから解除される。長円形シールは、薄く平面状に構成されているのではなく、ハウジングの内部に延在するように構成されている。
【００２８】
ディスペンサーは、３つの部分、つまりそれぞれ別個の射出成形される３つの個別部分よりなっていてよい。このような構成によって、ディスペンサーは、簡単に構成することができ、しかも、互いに係止させるか又は押し付けるだけでよい、少数の個別部から構成することができる。
【００２９】
以上のような構成のディスペンサーは、例えば爪の汚れ落とし剤、食品補助剤、香水、睡眠薬、調味料、避妊薬、ホルモン剤、食欲抑制剤、経口投与可能な香料、及び運動選手のための電解液を収容することができる。
【００３０】
また、ディスペンサーは、液滴状の肌の手入れ剤、特に日焼け止めクリームを収容するために、使用することができる。ディスペンサーは、石けん、化粧品、紙特に名刺、又は家庭用品を収容するために使用することもできる。
【００３１】
以上述べたディスペンサーは、ディスペンサーのハウジング内に積み重ねて収容することができる、すべての薄い薄片を収容し、かつ提供することができる。薄片は、有利には幅が２３ｍｍで、長さが２８ｍｍである。
【００３２】
以上述べたディスペンサーは、高いコンパクト性を特徴としていて、例えばズボンのポケット又はハンドバックに入れるのに適している。またこのディスペンサーは取り扱いが簡単である。何故ならば、蓋を開けるだけで薄片状の物質を提供することができるからである。
【００３３】
錠剤を飲み込むことができない人に、薄片状の物質を経口投与することができる。このディスペンサーは、幼児及び老人のために、非常に良好な経口投与を可能にする。薄片状の物質は、粘膜による作用物質の迅速な搬送を可能にする。この場合、ディスペンサーにチャイルドセーフティーを設けることも考えられる。
【００３４】
以上述べたディスペンサーは、安価な投与の可能性を提供し、６５ｍｇまでの作用物質を運ぶことができる。
【００３５】
本発明のその他の目的、特徴、利点及び使用可能性は、図示の実施例を用いて以下に記載されている。以下に説明した及び／又は図示したすべての特徴は、単独でも又は任意の組み合わせでも、個別の請求項の要約又はその引用関係とは無関係に、本発明の対象となる。
【図面の簡単な説明】
【００３６】
【図１】湾曲されたハウジングを備えた閉じたディスペンサーの断面図である。
【図２】蓋が開放されている状態の、図１に示したハウジングの断面図である。
【図３】蓋が閉鎖運動を行っている状態の、図１に示したハウジングの断面図である。
【図４】図１に示したディスペンサーの、上部と下部とから成るハウジングの斜視図である。
【図５】取り出しアーム及び、該取り出しアームに一体的に結合された蓋の斜視図である。
【図６】ガイド軌道を有し、図４に示したハウジングの下部と係止可能である構成部分の斜視図である。
【図７】図１に示したディスペンサーの分解図における、図４及び図５の３つの詳細部分の斜視図である。
【図８】開放した蓋を備えた、図１に示したディスペンサーの斜視図である。
【図９】図１に示した閉じたディスペンサーを異なる３方向から見た図である。
【図１０】閉じたディスペンサーの側面図であって、該ディスペンサーの蓋が平行移動運動（つまり軸方向の運動）によって可動である。
【図１１】開放した蓋を有する、図１０に示したディスペンサーの断面図である。
【図１２】図１０に示したディスペンサーを形成する３つの個別部分の斜視図である。
【図１３】図１０に示したディスペンサーのハウジングに不動に係止されている構成部分の斜視図である。
【図１４】図１０に示したディスペンサーの蓋の斜視図である。
【図１５】図１０に示したディスペンサーを異なる３方向から見た図である。
【００３７】
図１〜図１５では、それぞれのディスペンサーのそれぞれ同じ部材は同じ符号で示されている。
【００３８】
図１は、薄片状の物質１を投与するためのディスペンサーを示す。このディスペンサーは、ハウジング２を有していて、該ハウジング２が、薄片状の物質１のスタック（積み重ね）４を貯蔵するための中空室３を有しており、またハウジング２は、薄片状の物質１のための取り出し開口５を形成しており、この取り出し開口５は蓋６によって開放可能であり、かつ再び閉鎖可能である。この場合、蓋６はハウジング２に接続されている。蓋６は、取り出しアーム７に接続されており、該取り出しアーム７は、蓋６と協働して薄片状の物質１を取り出すために可動である。取り出しアーム７は、弾性的にプリロード（予備荷重）がかけられていて、ハウジング２の閉じた状態若しくは取り出し開口５の閉じた状態でスタック４に対して間隔を保っている。
【００３９】
取り出しアーム７は、蓋６の閉じた状態において、スタック４に対して間隔を保つためにスペーサホルダ８上に載っている。スペーサホルダ８は間隔維持斜面として構成されている。蓋６には、蓋６を掴むためのグリップ９が形成されている。
【００４０】
図２は、開放した蓋６を備えた、図１に示したディスペンサーの断面図を示す。取り出しアーム７は、蓋６の開放時に、薄片状の物質１をスタック４から連行して取り出し開口５へ搬送する搬送ストロークを行う。蓋６の開放時に取り出しアーム７によって取り出し開口５まで送られた薄片状の物質１は、取り出し開口５から突き出して、手指によって掴むことができる。取り出しアーム７は、手指が取り出し開口５内に入り込むのを防止するように、蓋６にヒンジ結合されている。
【００４１】
搬送ストローク中に、取り出しアーム７は少なくとも部分的に湾曲しながら、ガイド軌道１０の下、つまりガイド軌道１０の、スタック４に向いた側に移行する。蓋６が所定の程度だけ開放すると、取り出しアーム７は係止部１１の下を通って、ガイド軌道１０の始端部１２に当接する。
【００４２】
図３は、蓋６が閉鎖運動を実施する際の、図１に示したディスペンサーの断面図を示す。蓋６の閉鎖時には、取り出しアーム７は、薄片状の物質１のスタック４を無接触で通過し、このスタック４上を間隔を保って移動する。取り出しアーム７は、第１の湾曲補助手段１３及びガイド軌道１０によって、弾性的なプリロードを受けて湾曲せしめられる。
【００４３】
ガイド軌道１０は斜面として構成されていて、ハウジング２内に係止する構成部材１４上に取り付けられている。構成部材１４は、トレイとも称呼される。
【００４４】
取り出しアーム７は、蓋６の閉鎖時に、その湾曲及び弾性的なプリロードに基づいて、ガイド軌道１０の終端部１５からスペーサホルダ８に向かってジャンプし、この際に、蓋６がハウジング２を閉鎖する。取り出しアーム７は、第２の湾曲補助手段１６によって、スペーサホルダ８へ向かって下方へ移動せしめられる。
【００４５】
蓋６は、取り出し開口５の開閉時に旋回運動を実施する。蓋６の開放時に、弾性的に変形可能な取り出しアーム７は、第１の湾曲補助手段１３及び第３の湾曲補助手段１７によって湾曲せしめられる。この場合、第３の湾曲補助手段１７は、取り出しアーム７をストッパ１８へ移動させる。蓋６の閉鎖時に、弾性的に変形可能な取り出しアーム７は、第１の湾曲補助手段１３及び斜面状のガイド軌道１０によって湾曲せしめられる。第２の湾曲補助手段１６は、弾性的なプリロード下にある取り出しアーム７を、蓋６の閉鎖時にスペーサホルダ８に向けて湾曲させる。ストッパ１８は、弾性的な取り出しアーム７が、蓋６の開放時に所定の取り出し位置を越えてハウジング２から突き出すのを阻止する。
【００４６】
図４は、図１〜図３に示したディスペンサーのハウジング２の斜視図を示す。ハウジング２は、プラスチック射出成形により形成されていて、上部２ａと下部２ｂとから成っている。上部２ａと下部２ｂとは、フィルムヒンジとして構成された接続ウエブ１９によって、互いに旋回可能にヒンジ結合されている。上部２ａには取り出し開口５が形成されており、該取り出し開口５を通って取り出しアーム７を貫通させることができる。上部２ａはさらに、第１の湾曲補助手段１３を有しており、該第１の湾曲補助手段１３は、ほぼＬ字形、Ｕ字形又はフック状の湾曲された舌片として構成されている。この場合、舌片の端部は取り出し開口５の方向に突き出している。また、上部２ａの両側に、構成部材１４を保持するための２つのホルダ２ｃ，２ｄが形成されている。
【００４７】
下部２ｂには第３の湾曲補助手段１７が形成されている。この第３の湾曲補助手段１７にストッパ１８が続いている。第３の湾曲補助手段１７及びストッパ１８は、下部２ｂの両側に配置されている。さらに、下部２ｂには、間隔保持斜面として構成されたスペーサホルダ８が形成されている。スペーサホルダ８は、それぞれ異なって湾曲された２つの傾斜段部を備えた２段状の間隔保持斜面として構成されている。
【００４８】
下部２ｂには薄片ガイド３１が形成されている。薄片ガイド３１は、斜面状に構成されていて、薄片状の物質１を取り出し開口５に向かってガイドする。下部２ｂにはさらに両側にウエブ状の突起２ｅが形成されており、これらの突起２ｅ上に構成部材１４が載せられるようになっている。ハウジング２は、スライダなしで射出成形型から離型することができるように、構成されている。
【００４９】
図５は、取り出しアーム７と一体的に構成された蓋６の斜視図を示す。取り出しアーム７は、両側にサイドアーム２０，２１が突き出している、弾性的に変形可能な部材として構成されている。サイドアーム２０，２１は、取り出しアーム７の端部から突き出している。蓋６は、緊締カム（突起）２３を介してハウジング２に緊締されている。具体的には、４つの緊締カム２３が、これらの緊締カム２３のための、上部２ａに設けられた４つの受容部２４内に係合するようになっている。従って、蓋６は、ハウジング２の上部２ａと堅固に結合されている。緊締カム２３は、剛性部分２５と一体的に構成されており、該剛性部分２５に、蓋６がフィルムヒンジ２６を介して旋回可能にヒンジ結合されている。
【００５０】
蓋６は、取り出し開口５に向いた側に環状に延在するシール２７を有している。このシール２７は、長円形のシールとして構成されている。取り出しアーム７は基幹部２８を有しており、該基幹部２８は、第１の湾曲補助手段１３及び第３の湾曲補助手段１７によって弾性的に変形せしめられ、湾曲せしめられる。第２の湾曲補助手段１６は、取り出しアーム７の端部２２（この端部２２からサイドアーム２０，２１が突き出している）をスペーサホルダ８に向かって押しやる。サイドアーム２０，２１は、斜面状のガイド軌道１０に沿ってガイドされる。
【００５１】
取り出しアーム７は、その端部２２に、隆起部状に湾曲した接触面３２を有しており、該接触面３２は、取り出しアーム７が、薄片状の物質１を連行する際に、薄片状の物質１と接触する。
【００５２】
蓋６を２成分射出成形によって製造するか又は、異なる成分より成る２分割で製造することも考えられる。
【００５３】
図６は、構成部分１４を示しており、この構成部分１４は、凹部として構成された係止切欠２９によってハウジング２の下部２ｂに係止される。この構成部分１４はさらに、フォーク状のセンタリング補助手段３０を有しており、このセンタリング補助手段３０は、ハウジング２の下部２ｂに設けられたウエブ状の突起２ｅを把持する。係止切欠２９とセンタリング補助手段３０とは、構成部材１４の２つの側に形成されている。構成部材１４はさらに、斜面状のガイド軌道１０を有していて、このガイド軌道１０に沿って、取り出しアーム７のサイドアーム２０，２１がガイドされる。ガイド軌道１０の一部は係止部１１であって、この係止部１１は、弾性的に変形可能な舌片として構成されている。係止部１１は、ガイド軌道１０の始端部１２を有しており、この始端部１２を介して取り出しアーム７のサイドアーム２０，２１がガイド軌道１０に沿ってガイドされる。サイドアーム２０，２１がこのようにガイドされることによって、取り出しアーム７は無接触でスタック４の傍らを通過せしめられるようになっている。構成部材１４にはさらに、第２の湾曲補助手段１６が形成されており、該湾曲補助手段１６は、取り出しアーム７の端部２２（この端部２２からサイドアーム２０，２１が突き出している）を、スペーサホルダ８に向かって押しやる。
【００５４】
図７は、図１に示したディスペンサーを構成する３つの構成部分を分解した斜視図を示す。ディスペンサーを製造するために、プラスチックから射出成形された構成部材１４としてのトレイが、ハウジング２の下部２ｂ内に係止せしめられる。このトレイ１４上において下部２ｂは、板状の物質１で満たされる。次いで、蓋６が緊締カム２３によって上部２ａ内に押し込まれる。
【００５５】
取り出しアーム７はプリロードがかけられた状態で組み付けられ、それによって取り出しアーム７は、薄片状の物質１を取り出して送るために十分な圧力を、薄片状の物質１に作用させることができる。蓋６を取り付ける際に、取り出しアーム７はガイド軌道１０に載せられる。
【００５６】
次いで、上部２ａが下部２ｂに接続される。この組立段階において、取り出しアーム７がガイド軌道１０から滑り落ちないように注意しなければならない。この組立段階を実施する際に、取り出しアーム７がスペーサホルダ８に向かってジャンプする。所望であれば、互いに当接し合う滑らかな接合面を超音波溶接又は摩擦溶接することによって、或いは接着することによって、上部２ａを下部２ｂと堅牢に接続することができる。
【００５７】
ディスペンサーが組立完成されると、薄片状の物質１を取り出し準備が完了する。薄片状の物質１の取り出し終了毎に、取り出しアーム７は、蓋６が閉鎖する際にスペーサホルダ８に跳ね戻り、蓋６が開放されると、新たに取り出し作業を開始する。取り出しアーム７の弾性的なプリロード（このプリロードによって取り出しアーム７はスタック４に接触する））は、取り出しアーム７が、スタック４上に残っている薄片状の物質１をより確実に取り出し開口５に送るように、選定されている。
【００５８】
図８は、開放された蓋６を有するディスペンサーの斜視図を示す。取り出し開口５から、薄片状の物質１が突き出している。取り出しアーム７は、手指がハウジング２内に入り込むのを防止するように、取り出し開口５に侵入する。これによって、ハウジング２内の薄片状の物質１の汚染は効果的に避けられる。蓋６の長円形シール２７は、ハウジング２を、大気に対して液密に、かつ気密にシールする。
【００５９】
図９は、図１に示した閉じたディスペンサーを異なる３方向から見た図である。図９の左上は、ハウジング２の長手方向軸線の方向で蓋６を見た図を示す。図９の右上は、ディスペンサーの側面図を示す。図９の右下は、ディスペンサーの蓋６の平面図である。
【００６０】
図１０は、薄片状の物質１を投与するためのディスペンサーの別の実施例を示す。この別の実施例によるディスペンサーは、ハウジング２′を有しており、該ハウジング２′は、薄片状の物質１のスタック４を貯蔵するための中空室３′を有しており、ハウジング２′は、薄片状の物質１のための取り出し開口５′を形成しており、この取り出し開口５′は、蓋６′によって開放可能、かつ再び閉鎖可能であり、この場合、蓋６′はハウジング２′に結合されている。蓋６′は取り出しアーム７′に接続されており、該取り出しアーム７′は蓋６′と共に、薄片状の物質１を搬送するために可動である。取り出しアーム７′は、弾性的にプリロードをかけられていて、ハウジング２′若しくは取り出し開口５′の閉じた状態でスタック４から間隔を保って配置されるように、ハウジング２′内に支承されている。
【００６１】
取り出しアーム７′は、蓋６′の閉じた状態でスタック４から間隔を保ってスペーサホルダ８′上に位置している。取り出しアーム７′の、丸味を付けられた隆起部状の接触面３２′は、スタック４に接触しない。
【００６２】
図１１は、蓋６′が開放されている状態の、図１０に示したディスペンサーを示す。取り出しアーム７′は、蓋６′の開放時に、薄片状の物質１をスタック４から連行して取り出し開口５′に搬送するための搬送ストロークを実施する。薄片状の物質１は、取り出し開口５′から突き出るので、手指によって掴むことができる。この際に、薄片状の物質１は薄片ガイド３１′上に載る。この薄片ガイド３１′は、真っ直ぐな区分と湾曲した区分とを有している。薄片ガイド３１′の湾曲した区分は、薄片状の物質１を取り出し開口５′から上方へ突き出し、それによって薄片状の物質１は手指によって簡単に掴むことができる。
【００６３】
取り出しアーム７′は、蓋６′の開放時に、薄片状の物質１をスタック４から連行して取り出し開口５′へ搬送するための搬送ストロークを行う。この際に、弾性的なプリロード下にある取り出しアーム７′は、搬送ストローク中に、少なくとも部分的にガイド軌道１０′の下側を移動し、取り出しアーム７′の接触面３２′で以て、スタック４の最上位にある薄片状の物質１に接触する。
【００６４】
蓋６′の所定の開放位置において、取り出しアーム７′は、舌片状の弾性的な係止部１１′の下側を走行し、それによって取り出しアーム１０′の始端部１２′に当接する。取り出しアーム７′は、ガイド軌道１０′の下側を走行する際に、その接触面３２′が弾性的なプリロードを受けてスタック４上に載る。取り出しアーム７′の弾性的なプリロードは常に、最後の薄片状の物質１もスタック４から取り出されるように、選定されている。これによって、ディスペンサーを確実に空にすることができる。ディスペンサーを確実に空にするための、取り出しアーム７′のプリロード、並びに接触面３２′の構成は、図１に示したディスペンサーのためにもあてはまる。
【００６５】
蓋６′を閉鎖すると、取り出しアーム７′は、薄片状の物質１のスタック４を無接触で通過するように、ハウジング２′内でガイド軌道１０′に沿って滑動する。
【００６６】
ガイド軌道１０′は、ハウジング２′内に係止する構成部材１４′に形成された斜面として構成されている。構成部材１４′は、トレイとも称呼される。構成部材１４′は、ハウジング２′及び蓋６′とは別個に製造され、組立時にハウジング２′に係止する。
【００６７】
取り出しアーム７′はその湾曲及び弾性的なプリロードに基づいて、蓋６′の閉鎖時に、ガイド軌道１０′の始端部１５′からスペーサホルダ８′へジャンプし、この際に蓋６′はハウジング２′を閉鎖する。この際に、取り出しアーム７′は湾曲ガイド部１６′によって強制的にガイドされる。
【００６８】
蓋６′は、取り出し開口５′の開閉時に、平行移動運動、つまりハウジング２′に対して相対的な軸方向運動を実施する。蓋６′は、ハウジング２′内で引き出しのようにガイドされ、その取り出し開口５′に、長円形シールとして構成されたシール２７′を有している。
【００６９】
図１２は、図１０に示したディスペンサーの分解図を示す。図１２は、図１０に示したディスペンサーが３つの部分を有していることを示している。３つの部分はそれぞれプラスチックより射出成形されている。
【００７０】
蓋６′と取り出しアーム７′とは、一体的に構成されている。取り出しアーム７′は、弾性的に変形可能な部材として構成されており、該部材の両側からサイドアーム２０′，２１′が突き出している。
【００７１】
構成部材１４′は、ハウジング２′に係止可能である。構成部材１４′にガイド軌道１０′が形成されている。また、構成部材１４′にスペーサホルダ８′が形成されており、該スペーサホルダ８′は間隔保持斜面として構成されている。ガイド軌道１０′に係止部１１′が配属されている。さらに構成部材１４′にストッパ１８′が形成されており、該ストッパ１８′内にサイドアーム２０′，２１′が係止するようになっている。ストッパ１８′は、両側にフック状の舌片を有しており、これらの舌片内にサイドアーム２０′，２１′が係合する。これによって、蓋６′が所定の開放位置を越えて引き出されることは、阻止されるようになっている。
【００７２】
取り出しアーム７′がストッパ１８′に到達し、係止部１１′の下をくぐり抜けてから、取り出しアーム７′は無接触でスタック４上を通過することができる。次いで、取り出しアーム７′は、始端部１５′から、湾曲ガイド部１６′の作用によってスペーサホルダ８′上にジャンプし、蓋６′が新たに開放されるまでスペーサホルダ８′上に止まる。フック状の湾曲ガイド部１６′は、取り出しアーム７′をスペーサホルダ８′に押しつける。湾曲ガイド部１６′は構成部材１４′の両側に形成されている。湾曲ガイド部１６′は、上方に突き出す湾曲したフックの形に構成されている。
【００７３】
構成部１４′はさらに、薄片ガイド３１′を有しており、この薄片ガイド３１′は、薄片状の物質１を取り出し開口５′に向かってガイドする。
【００７４】
図１０に示したディスペンサーを組み立てるために、構成部材１４′は容器のハウジング２′内に係止せしめられる。構成部材１４′は、ハウジング２′に対して相対的に不動に固定される。この固定が行われると、構成部材１４′にスタック４が満たされる。次いで蓋６′が組み付けられる。この場合、取り出しアーム７′は、ガイド軌道１０′上に載せられる。蓋６′が構成部材１４′に係止せしめられると、取り出しアーム７′は、前述のように、ガイド軌道１０′の始端部１５′からジャンプする。蓋６′が構成部材１４′と係止することによって、ハウジング２′若しくは取り出し開口５′は閉鎖される。蓋６′に長円形シール２７が設けられていることによって、ハウジング２′は液密かつ気密に閉鎖される。
【００７５】
構成部材１４′の両側に、横断面がＬ字形のガイドレール３３が形成されており、これらのガイドレール３３内に、蓋６′に設けられたガイドウエブ３４が走入する。蓋６′は両側に配置された係止突起３５によって、構成部材１４′に係止せしめられ、ハウジング２′に対して相対的に、かつ構成部材１４′に対して相対的に摺動可能である。
【００７６】
図１３は、構成部材１４′の斜視図を示す。図１４は、蓋６′の斜視図を示す。
【００７７】
図１５は、図１０に示した閉じたディスペンサーを３つの異なる方向から見た図を示す。図１５の左上は、蓋６′のスライド方向で見た図を示す。図１５の右上は、図１０に示したディスペンサーの側面図を示す。図１５の左下は、図１０に示したディスペンサーの平面図を示す。
【００７８】
本発明のその他の有利な構成及び実施態様は、実施例の説明及び特許請求の範囲に記載されている。
【符号の説明】
【００７９】
１  薄片状の物質、  ２，２′  ハウジング、  ２ａ、上部、  ２ｂ  下部、  ２ｃ，２ｄ  ホルダ、  ３  中空室、  ４  スタック、  ５，５′  取り出し開口、  ６，６′  蓋、  ７，７′  取り出しアーム、  ８，８′  スペーサホルダ、  ９  グリップ、  １０，１０′  ガイド軌道、  １１，１１′  係止部、  １２、１２′  始端部、  １３  第１の湾曲補助手段、  １４，１４′  構成部材、トレイ、  １５，１５′  始端部、  １６  第２の湾曲補助手段、  １６′  湾曲ガイド部、  １７  第３の湾曲補助手段、  １８  ストッパ、  １９  接続ウエブ、  ３１  薄片ガイド、  ２０，２１；２０′，２１′  サイドアーム、  ２２  端部、  ２３  緊締カム、  ２５  剛性部分、  ２７  長円形シール、  ２８  基幹部、  ２９  係止切欠、  ３０  センタリング補助手段、  ３１′  薄片ガイド、  ３２，３２′  接触面、  ３３  ガイドレール、  ３４  ガイドウエブ、  ３５  係止突起
【図１】
2012521334.tif 000003
【図２】
2012521334.tif 000004
【図３】
2012521334.tif 000005
【図４】
2012521334.tif 000006
【図５】
2012521334.tif 000007
【図６】
2012521334.tif 000008
【図７】
2012521334.tif 000009
【図８】
2012521334.tif 000010
【図９】
2012521334.tif 000011
【図１０】
2012521334.tif 000012
【図１１】
2012521334.tif 000013
【図１２】
2012521334.tif 000014
【図１３】
2012521334.tif 000015
【図１４】
2012521334.tif 000016
【図１５】
2012521334.tif 000017
【国際調査報告】
2012521334.tif 000018
2012521334.tif 000019
2012521334.tif 000020
2012521334.tif 000021